(57)【要約】【課題】より簡単な構成で、装置本体に対して正確な位置決めが要求される画像読取部の強度を維持し、歪みや変形を発生せず安定した画像読み取り性能を発揮する画像形成装置を提供する。【解決手段】原稿を載置する原稿台と、原稿カバーと、原稿画像を読み取る画像読取部４０と、前記画像読取部の下部に設けられ本体枠部１１に固設される画像形成部６０と、を備えた画像形成装置１０において、本体枠部１１を補強する補強部材を設ける際に、本体枠部１１の上に設置する前記画像読取部４０の大きさに応じた上面位置に前記補強部材１を設け、該補強部材１の上に前記画像読取部４０を設置する構成とした。【選択図】図１
2009206926.tif 000002
【特許請求の範囲】
【請求項１】
原稿を載置する原稿台と、
原稿台に載置された原稿を押圧して原稿台に密着させる原稿カバーと、
前記原稿台の下部に設けられ原稿画像を読み取る画像読取部と、
前記画像読取部の下部に設けられ本体枠部に固設される画像形成部と、を備えた画像形成装置において、
本体枠部の上面に設置する前記画像読取部の大きさに応じた位置に本体枠部を補強する補強部材を設け、該補強部材の上に前記画像読取部を設置したことを特徴とする画像形成装置。
【請求項２】
前記補強部材を、前記画像読取部の四隅に当る位置に配設したことを特徴とする請求項１に記載の画像形成装置。
【請求項３】
前記補強部材が本体枠部の上面部の四隅に筋交い状に配設されていることを特徴とする請求項１または２に記載の画像形成装置。
【請求項４】
本体枠部の上面部に前記画像読取部の大きさに応じた取付枠を設け、該取付枠の四隅に前記補強部材を配設したことを特徴とする請求項１から３のいずれかに記載の画像形成装置。
【発明の詳細な説明】
【技術分野】
【０００１】
本発明は、原稿画像を読み取る画像読取部と読み取った原稿画像を用紙に記録する画像形成部を備える画像形成装置に関する。
【背景技術】
【０００２】
従来、プラテン上に載置される原稿、および、原稿搬送部を介して給送される原稿の原稿画像を読み取り、用紙に記録したり通信したりする画像形成装置が知られている。このような画像形成装置の一例を図４に示す。図に示すように、画像形成装置１０は、本体枠部１１と、本体枠部１１の内部に、給紙部５０、画像形成部６０、定着部７０を備え、上方に透明ガラス製のプラテン１２、原稿搬送部２０を備えている。画像読取部４０はプラテン１２の下方に設けられており、内部上方に、原稿搬送動作や読取動作、画像形成動作などを制御する制御装置１３、中央部には用紙排出トレイ８２を備える用紙排出部が設けられている。
【０００３】
原稿搬送部２０は、図の紙面奥側に設けられた支点２０ａによって本体１１に対して開閉自在に取り付けられている。原稿搬送部２０は、原稿載置トレイ２１と、原稿給送部３０と、原稿搬送路２７と、原稿カバー２９とを備える。
【０００４】
原稿載置トレイ２１には、原稿載置トレイ２１の用紙搬送方向に直交する方向にスライド可能な一対の原稿ガイド２２が設けられており、載置する原稿のサイズに応じて位置を合わせて搬送される原稿が左右にずれないように保持することができる。また、原稿排出トレイ２９ａが原稿カバー２９の上面の一部として一体に形成されている。原稿載置トレイ２１は原稿搬送路２７の上流端をなし、原稿排出トレイ２９ａは原稿搬送路２７の下流端をなす。また、原稿排出トレイ２９ａ上には、例えばＡ３サイズ用２８ａ、Ａ４サイズ用２８ｂおよびＡ５サイズ用２８ｃからなる原稿移動防止部材２８が設けられている。
【０００５】
原稿給送部３０には原稿搬送路２７に沿って原稿搬送方向上流側から順に、第１の給紙ローラ３１、第２の給紙ローラ３２、分離ローラ３３、第１の搬送ローラ対３４、レジストローラ対３５、第２の搬送ローラ対３６、原稿ガイド３７、第３の搬送ローラ対３８、排出ローラ対３９が設けられている。また、搬送原稿読取位置１２ａがプラテン１２の上面の原稿ガイド３７に対向する位置に設定されている。
【０００６】
第１の給紙ローラ３１はソレノイドなどの図示しない駆動手段により上下に移動可能に設けられている。原稿載置トレイ２１上に原稿Ｃがないときには、原稿載置トレイ２１に設けられた光反射型センサなどの載置原稿検出手段２１ａから制御装置１３に送られた信号に基づき、駆動手段が第１の給紙ローラ３１を上方に移動させる。原稿Ｃが載置されると、駆動手段および自重によって第１の給紙ローラ３１は下方に移動し、原稿Ｃと接触する。
【０００７】
原稿固定方式の場合、原稿（不図示）は、プラテン１２の上面に設定された静置原稿読取位置１２ｂに載置され、原稿カバー２９によって押さえられ、プラテン１２に密着する面の画像が画像読取部４０によって読み取られる。
【０００８】
画像読取部４０は、露光ランプ４１、反射板４２、第１のミラー４３、第２のミラー４４、第３のミラー４５、集光レンズ４６およびイメージセンサ（例えばライン型のＣＣＤ）４７を備える。露光ランプ４１と第１のミラー４３とはキャリッジ４８上に搭載され、図中の水平左右方向に移動可能に設けられている。
【０００９】
給紙部５０は、本体枠部１１の最下部に配設された給紙カセット５１と、給紙ローラ５２とを備える。給紙カセット５１は用紙Ｐを収容するものであり、収容された用紙Ｐはここから給紙ローラ５２により１枚ずつ搬送路５５へ送り出され、搬送ローラ対５３およびレジストローラ対５４によって画像形成部６０へ搬送される。
【００１０】
画像形成部６０は、感光体ドラム６１と、その周囲に配設された帯電器６２、光走査ユニット６３、現像器６４、転写ローラ６５およびクリーニング器６６とを備える。感光体ドラム６１は図中の時計回りに回転し、まずその表面が帯電器６２により均一に帯電される。次に、画像読取部４０で読み取られ、制御装置１３を経由して送られた画像の電気信号に基づいて光走査ユニット６３から感光体ドラム６１の表面にレーザ光が照射され、用紙Ｐに形成される画像の部分又は前記画像以外の部分に相当する電荷が消去され、静電潜像が形成される。そしてこの静電潜像に現像器６４によってトナーが供給され静電潜像がトナー画像として顕像化される。
【００１１】
トナー画像が転写された用紙Ｐは加熱ローラ７１と加圧ローラ７２からなる定着装置７０に搬送され、ここでトナー画像は加熱・加圧されて用紙Ｐに定着する。その後用紙Ｐは用紙排出トレイ８２に排出ローラ対８１によって画像が形成された面を下向きにして排出される。
【００１２】
上記のような画像読取部と画像形成部を備える画像形成装置においては、本体枠部に固着される画像形成部に対して画像読取部を正確な位置に載置することが肝要である。また、画像読取部に歪みや変形が発生すると、画像読取部の内部に設置されている走査装置や光学装置の位置関係に誤差が生じ、画像読み取り性能に悪影響を与えるため、歪みや変形が発生しないように画像読取部自体の構成を強固にする必要がある。
【００１３】
そこで、画像読取部（スキャナ）の平面性を維持し、荷重による落ち込みを防止するために、傾斜した長穴部を介して固定する保持部材を備える画像形成装置が既に開示されている（例えば、特許文献１参照）。
【００１４】
上記の構成であれば、上下方向に荷重や振動が付加されても、画像読取部を上下に動かす力を減少させることができ、落ち込みを防止可能となる。
【特許文献１】特開２００６−１７８３８７号公報
【発明の開示】
【発明が解決しようとする課題】
【００１５】
しかしながら、特許文献１に記載された画像形勢装置は、スキャナ支持部材とスキャナ固定部材と保持部材とを備え、保持部材に傾斜した長穴部を設ける構成とされていて、複雑である。そのために、より簡単な構成で画像読取部の強度を維持し、歪みや変形を発生しない支持構造が望まれている。
【００１６】
本発明は、上記問題点に鑑み、より簡単な構成で、装置本体に対して正確な位置決めが要求される画像読取部の強度を維持し、歪みや変形を発生せず安定した画像読み取り性能を発揮する画像形成装置を提供することを目的とする。
【課題を解決するための手段】
【００１７】
上記目的を達成するために本発明は、原稿を載置する原稿台と、原稿台に載置された原稿を押圧して原稿台に密着させる原稿カバーと、前記原稿台の下部に設けられ原稿画像を読み取る画像読取部と、前記画像読取部の下部に設けられ本体枠部に固設される画像形成部と、を備えた画像形成装置において、本体枠部の上面に設置する前記画像読取部の大きさに応じた位置に本体枠部を補強する補強部材を設け、該補強部材の上に前記画像読取部を設置したことを特徴としている。
【００１８】
この構成によると、本体枠部に設ける補強部材の上に画像読取部を設置するので、大きな強度を有する補強部材により、画像読取部の強度を維持し、歪みや変形を発生しない構成とすることができる。
【００１９】
また本発明は、上記構成の画像形成装置において、前記補強部材を、前記画像読取部の四隅に当る位置に配設したことを特徴としている。この構成によると、一般に矩形の画像読取部の四隅を大きな強度を有する補強部材を介して支持することができ、歪みや変形に対して大きな強度を効果的に維持することができる。
【００２０】
また本発明は、上記構成の画像形成装置において、前記補強部材が本体枠部の上面部の四隅に筋交い状に配設されていることを特徴としている。この構成によると、本体枠部の枠構成を強力に補強することができ、さらに該補強部材を用いて、画像読取部の枠体の強度を補強する構成となって、この補強部材が、本体枠部の補強と画像読取部の補強との両方の補強機能を発揮する。
【００２１】
また本発明は、上記構成の画像形成装置において、本体枠部の上面部に前記画像読取部の大きさに応じた取付枠を設け、該取付枠の四隅に前記補強部材を配設したことを特徴としている。この構成によると、本体枠部の上に小さな画像読取部を載置する際にも、この小さな画像読取部の四隅を支持して補強するのに好適な構成となる。
【発明の効果】
【００２２】
本発明によれば、画像形成装置の本体枠部に装着する補強部材の上に画像読取部を設置する簡単な構成で、画像読取部の強度および平面性を維持し、歪みや変形を発生せず安定した画像読み取り性能を発揮することができる。
【発明を実施するための最良の形態】
【００２３】
以下に本発明の実施形態を図面を参照して説明する。図１は、本発明の第一実施形態の要部斜視図である。図２は第一実施形態の側面図である。図３は、本発明の第二実施形態を示し、（ａ）は側面図、（ｂ）は平面図である。図４は、全体の構成を示す概略説明図である。また、同一構成部材については同一の符号を用い、詳細な説明は適宜省略する。
【００２４】
図１および図２に示す第一実施形態の画像形成装置１０Ａは、本体枠部１１の上部枠とほぼ同じ大きさの画像読取部４０を装着した例であって、本体枠部１１の枠強度を向上するために本体枠部１１の四隅に設ける補強部材１の上に直接、画像読取部４０を設置しているところを示している。このときに、本体枠部１１の枠構成を補強する補強部材１は、本体枠部１１の上面部の四隅に筋交い状に配設することが好ましい。
【００２５】
上記の構成であれば、本体枠部１１の枠構成を強力に補強することができる。また、枠体を補強するために装着する補強部材１は、通常強度の大きい部材を用いているので、補強部材１の上に画像読取部４０を設置する本実施形態の取付構造は、画像読取部４０の枠体の強度を補強する構成となる。つまり、この補強部材１が、本体枠部１１の補強と画像読取部４０の補強との両方の補強機能を発揮する。
【００２６】
そのために、本実施形態によれば、安定した枠体の上にさらに強度のある補強部材１を介して画像読取部４０を設置する構成となるので、該画像読取部４０の平面性を維持することができる。また、強度の大きな部材の上に設置するので、画像読取部４０の強度を維持し、歪みや変形の発生を防止することができ、画像読取部の内部に設置されている走査装置や光学装置の位置関係が安定し誤差を生じず、画像読み取り性能が安定する。
【００２７】
画像読取部４０は本体枠部１１の上に設置するので、本体枠部１１の上面の所定位置に補強部材を設けることが好ましい。また、設置する画像読取部４０の四隅を補強する構成であることが好ましい。そのために、本体枠部１１の上面の大きさと、設置する画像読取部４０の大きさが略同じ場合は、本体枠部１１の上面の四隅に補強部材１（１Ａ、１Ｂ、１Ｃ、１Ｄ）を筋交い状に設けることができる。
【００２８】
上記の補強部材１（１Ａ、１Ｂ、１Ｃ、１Ｄ）を備える画像形成装置１０Ａは、図１に示すように、本体枠部１１の上面の四隅に筋交い状に設ける補強部材１の上に、画像読取部４０の四隅を合致させて載置した構成である。そのために、補強部材１は、本体枠部１１の枠体を補強すると同時に画像読取部４０に強度を付与する構成となる。
【００２９】
この構成により、画像読取部４０は、曲げや歪みに対して強い構造となり、荷重や負荷
に対して歪みや変形の発生しにくい構造となっている。
【００３０】
上記したように、本体枠部１１の上面の大きさと、設置する画像読取部４０の大きさが略同じ場合は、本体枠部１１の上面の四隅に筋交い状に設ける補強部材１を介して画像読取部４０を設置して固定することができる。しかし、本体枠部１１の上面の大きさより設置する画像読取部４０が小さい場合は、本体枠部１１の上面の四隅に筋交い状に設ける補強部材に、画像読取部４０を直接載置することはできない場合がある。次に、その際の載置状態について図３を用いて説明する。
【００３１】
図３（ａ）に示す第二実施形態の画像形成装置１０Ｂは、本体枠部１１の上に小さな画像読取部４０Ａを載置した例である。この場合は、図３（ｂ）に示すように本体枠部１１の上面部に前記画像読取部４０Ａの大きさに応じた取付枠２を設け、該取付枠２の四隅に前記補強部材１（１Ａ、１Ｂ、１Ｅ、１Ｆ）を配設している。このように、本体枠部１１の一方の端に合致させて小サイズの画像読取部４０Ａを設置するばあいは、本体枠部１１の一方の二隅部に筋交い状に設ける補強部材１Ａ、１Ｂと、新たに設ける取付枠２に配設する補強部材１Ｅ、１Ｆとを用いて、本体枠部１１の上に小さな画像読取部４０Ａを正確に設置し、強固に固定することができる。
【００３２】
また、取付枠２の配設位置は、設置する画像読取部４０Ａの形状や大きさに応じて変更すればよく、設置する画像読取部４０Ａの枠体を支持する位置（例えば、四隅）に補強部材１を配設可能な構成であればよく、適宜変更可能である。
【００３３】
第二実施形態の画像形成装置１０Ｂであっても、本体枠部１１を補強する補強部材３（３Ａ、３Ｂ）を備えているのは明らかであり、この画像形成装置１０Ｂは、本体枠部１１を補強する補強部材３（３Ａ、３Ｂ）に加えて、本体枠部１１の上部に設置する前記画像読取部４０Ａの大きさに応じた補強部材１（１Ａ、１Ｂ、１Ｅ、１Ｆ）を備えた構成である。
【００３４】
第一実施形態の画像形成装置１０Ａ、第二実施形態の画像形成装置１０Ｂのいずれであっても、本体枠部１１を補強する補強部材を設ける際に、本体枠部１１の上に設置する画像読取部に応じた所定の上面位置に補強部材１を設け、該補強部材１の上に画像読取部を設置する構成とすることで、画像読取部の強度を維持し、歪みや変形を発生しない構成となる。
【００３５】
特に本体枠部１１の上部に設置する画像読取部が、本体枠部１１の大きさと比較して小さなサイズであれば、本体枠部１１を補強する補強部材の上に直接小さなサイズの画像読取部を設置することは困難である。そのために、本体枠部１１を補強する補強部材３に加えて、本体枠部１１の上部に設置する画像読取部のサイズに応じた補強部材１を配設することで、画像読取部のサイズに拘らず、画像読取部の強度を維持し、歪みや変形を防止することができる。
【産業上の利用可能性】
【００３６】
上記したように本発明によれば、本体枠部の枠構造を補強するために設ける補強部材の上に直接、画像読取部を設置するので、大きな強度を有する補強部材により画像読取部の強度を維持し、歪みや変形を発生しない構成とすることができる。そのために、画像読取部の内部に設置されている走査装置や光学装置の位置関係を保ち、安定した画像読み取り性能を維持する画像形成装置を提供することができる。
【００３７】
また、本体枠部の補強と画像読取部の補強との両方の補強機能を発揮するので、装置全体の剛性、および画像読取部の剛性を向上し、画像読取部の着脱や繰り返し開閉操作を行っても、画像読取部の画像形成部に対する相対位置が変化しない画像形成装置を提供することができる。
【００３８】
また、本体枠部を補強する補強部材に加えて、本体枠部の上部に設置する画像読取部のサイズに応じた補強部材を配設することで、画像読取部のサイズに拘らず、画像読取部の強度を維持し、歪みや変形を防止し、簡単な構成で強度的に優れて安定した画像読み取り性能を発揮する画像形成装置を提供することができる。
【図面の簡単な説明】
【００３９】
【図１】は、本発明の第一実施形態の要部斜視図である。
【図２】は、第一実施形態の側面図である。
【図３】は、本発明の第二実施形態を示し、（ａ）は側面図、（ｂ）は平面図である。
【図４】は、全体の構成を示す概略説明図である。
【符号の説明】
【００４０】
１    補強部材
２    取付枠
３    補強部材
１０    画像形成装置
１０Ａ    画像形成装置（第一実施形態）
１０Ｂ    画像形成装置（第二実施形態）
１１    本体枠部
２０    原稿搬送部
４０    画像読取部
６０    画像形成部
【図１】
2009206926.tif 000003
【図２】
2009206926.tif 000004
【図３】
2009206926.tif 000005
【図４】
2009206926.tif 000006